(57)【要約】【課題】実際の故障情報をもとに最適な回線構成が実施できるネットワーク管理システムを得る。【解決手段】ネットワーク機器から通知される故障情報を収集する収集部１１と、現在発生中の故障情報を蓄積する故障情報データベース１４と、収集部により収集された故障情報を統計的に管理し、現在発生中の故障情報を故障情報データベースに蓄積するネットワーク故障統計情報管理部１６と、ネットワーク接続情報を予め格納するネットワーク接続情報データベース１５と、ネットワーク接続情報データベースを管理するネットワーク接続情報管理部１７と、回線構成の実施指示の入力に基づいて、ネットワーク故障統計情報管理部１６からの故障統計情報に基づいてネットワーク接続情報管理部１７から得られるネットワーク接続情報を参照して現在故障発生中のネットワーク機器を経由しないパスを優先して最適な回線構成を行う回線構成処理部１８とを備えた。【選択図】図１
2006074662.tif 000002
【特許請求の範囲】
【請求項１】
ネットワーク機器から通知される故障情報を収集する収集部と、
前記収集部により収集された現在発生中の故障情報を蓄積する故障情報データベースと、
前記収集部により収集された故障情報を統計的に管理し、現在発生中の故障情報を前記故障情報データベースに蓄積するネットワーク故障統計情報管理部と、
ネットワーク接続情報を予め格納するネットワーク接続情報データベースと、
前記ネットワーク接続情報データベースを管理するネットワーク接続情報管理部と、
回線構成の実施指示の入力に基づいて、前記ネットワーク故障統計情報管理部からの故障統計情報に基づいてネットワーク接続情報管理部から得られるネットワーク接続情報を参照して現在故障発生中のネットワーク機器を経由しないパスを優先して最適な回線構成を行う回線構成処理部と
を備えたネットワーク管理システム。
【請求項２】
請求項１に記載のネットワーク管理システムにおいて、
前記ネットワーク故障統計情報管理部により算出される回線パス毎の停止時間情報を蓄積するネットワーク回線情報データベースをさらに備え、
前記回線構成処理部は、前記ネットワーク回線情報データベースを参照して回線疎通率の高い区間を経由するパスを優先して回線構成を行う
ことを特徴とするネットワーク管理システム。
【請求項３】
請求項１に記載のネットワーク管理システムにおいて、
前記ネットワーク接続情報管理部により各パスにネットワーク距離の重み付けを行った結果を蓄積するネットワーク回線距離情報データベースをさらに備え、
前記回線構成処理部は、前記ネットワーク回線距離情報データベースを参照して合計の経路が最短区間となるパスを優先して回線構成を行う
ことを特徴とするネットワーク管理システム。
【請求項４】
請求項１に記載のネットワーク管理システムにおいて、
前記ネットワーク故障統計情報管理部により各パスの実効通信速度を統計的に収集した結果を蓄積するネットワーク回線実効速度情報データベースをさらに備え、
前記回線構成処理部は、前記ネットワーク回線実効速度情報データベースを参照してスループットが最速となるパスを優先して回線構成を行う
ことを特徴とするネットワーク管理システム。
【請求項５】
請求項１に記載のネットワーク管理システムにおいて、
ネットワーク機器のメンテナンス作業情報を蓄積するネットワーク作業情報データベースをさらに備え、
前記回線構成処理部は、前記ネットワーク作業情報データベースを参照してメンテナンス作業予定のあるネットワーク機器を経由しないパスを優先して回線構成を行う
ことを特徴とするネットワーク管理システム。
【発明の詳細な説明】
【技術分野】
【０００１】
この発明は、ネットワーク管理システムに関し、特に、ネットワークの回線構成機能に関するものである。
【背景技術】
【０００２】
近年、ネットワークはより広域化かつ複雑化しており、通信ネットワークの管理・回線構築等の業務を支援するネットワーク管理装置の必要性が高まっている。
【０００３】
従来のネットワーク管理システムとして、ネットワーク機器の構成情報を格納したデータベースの情報に基づいて空きパスを順次検索するものがある。
【０００４】
また、従来、発生した異常に対応した構築設計を行うネットワーク管理システムとして、ルートに障害が発生した場合、あらかじめデータベースに定義した情報から予備ルートの有無を判定し、迅速な保守を要するかを判定するものである（例えば、特許文献１参照）。
【０００５】
【特許文献１】特開２０００−２９５２２０号公報
【発明の開示】
【発明が解決しようとする課題】
【０００６】
しかしながら、上述した従来のネットワーク管理装置は、ネットワーク機器の構成情報を格納したデータベースの情報をもとに空きパスを順次検索して回線構成を実施できるが、実際の故障情報をもとに構成することはできないという課題があった。また、ルートに障害が発生した場合、予備ルートの有無を通知する装置は考案されているが、回線構成設計に反映する手段はなかった。
【０００７】
この発明は、上記のような課題を解決するためになされたものであり、実際の故障情報をもとに最適な回線構成が実施できるネットワーク管理システムを得ることを目的とする。
【課題を解決するための手段】
【０００８】
この発明に係るネットワーク管理システムは、ネットワーク機器から通知される故障情報を収集する収集部と、前記収集部により収集された現在発生中の故障情報を蓄積する故障情報データベースと、前記収集部により収集された故障情報を統計的に管理し、現在発生中の故障情報を前記故障情報データベースに蓄積するネットワーク故障統計情報管理部と、ネットワーク接続情報を予め格納するネットワーク接続情報データベースと、前記ネットワーク接続情報データベースを管理するネットワーク接続情報管理部と、回線構成の実施指示の入力に基づいて、前記ネットワーク故障統計情報管理部からの故障統計情報に基づいてネットワーク接続情報管理部から得られるネットワーク接続情報を参照して現在故障発生中のネットワーク機器を経由しないパスを優先して最適な回線構成を行う回線構成処理部とを備えたものである。
【発明の効果】
【０００９】
この発明によれば、ネットワーク接続情報であるネットワーク機器及び通信回線の相互接続関係を蓄積したデータベースと、発生中の故障情報を蓄積したデータベースとを連携して用いることによって、実際の故障情報に応じたより信頼性の高い最適な回線構成が実施できる。
【発明を実施するための最良の形態】
【００１０】
実施の形態１．
図１は、この発明の実施の形態１に係るネットワーク管理システムの構成を示すブロック図である。図１に示すネットワーク管理システム１は、ネットワークを構成するネットワーク機器としての複数の装置２１〜２５から通知される故障情報を収集する警報収集部１１と、警報収集部１１で収集した故障情報の主原因を判定する主原因判定部１２と、主原因判定部１２により判定された故障情報及びその主原因を操作端末２に通報する故障通報部１３と、警報収集部１１で収集され主原因判定部１２で判定された現在発生中の故障情報を蓄積するネットワーク発生中故障情報データベース１４と、ネットワーク接続情報ネットワーク機器及び通信回線の相互接続関係を予め格納しているネットワーク接続情報データベース１５と、主原因判定部１２で判定された故障情報を統計的に管理し、現在発生中の故障情報を前記故障情報データベース１４に蓄積するネットワーク故障統計情報管理部１６と、ネットワーク接続情報データベース１５を管理するネットワーク接続情報管理部１７と、操作端末２からの回線構成の実施指示入力時に、ネットワーク故障統計情報管理部１６からの故障統計情報に基づいてネットワーク接続情報管理部１７から得られるネットワーク接続情報を参照して現在故障発生中のネットワーク機器を経由しないパスを優先して最適な回線構成を行う回線構成処理部１８とを備えている。
【００１１】
次に動作について説明する。まず、ネットワーク故障統計情報の収集方法について説明する。装置２１、装置２２、装置２３、装置２４、装置２５から構成されるネットワークで故障が発生した場合、故障情報の警報通知を警報収集部１１で収集する。主原因判定部１２は、警報収集部１１で収集した複数の警報から故障発生した主原因を判定し、その判定結果を故障通報部１３及びネットワーク故障統計情報管理部１６に通知する。故障通報部１３は、故障情報及びその主原因を操作端末２に通報すると共に、ネットワーク故障統計情報管理部１６は、各装置の発生中故障情報・復旧情報をネットワーク発生中故障情報データベース１４に蓄積する。また、ネットワーク接続情報管理部１７は、予めネットワーク接続情報が入力されているネットワーク接続情報データベース１５を管理している。
【００１２】
このような状態で、オペレータが操作端末２を用いて回線構成業務を実施する指示を入力し、新規に空きパスからなる回線を構成する場合、回線の始端個所と終端個所を入力すると、回線構成処理部１８は、ネットワーク故障統計情報管理部１６及びネットワーク接続情報管理部１７を介してネットワーク接続情報データベース１５及びネットワーク発生中故障情報データベース１４と連携し、ネットワーク故障統計情報管理部１６からの故障統計情報に基づいてネットワーク接続情報データベース１５から得られるネットワーク接続情報を参照して、複数の組み合わせの中から現在故障発生中の装置を経由しないパスを優先して選択し最適な回線構成を実施する。回線構成を実施した結果は、操作端末２に通報されると共に、ネットワーク接続構成管理部１７によりネットワーク接続情報データベース１５に蓄積され、次回以降の回線構成業務に反映される。
【００１３】
従って、実施の形態１によれば、ネットワーク接続情報である、ネットワーク機器及び通信回線の相互接続関係を蓄積したデータベースと、発生中の故障情報を蓄積したデータベースとを連携して用いることによって、より信頼性の高い最適な回線構成が実施できる。
【００１４】
実施の形態２．
図２は、この発明の実施の形態２に係るネットワーク管理システムの構成を示すブロック図である。図２に示す実施の形態２の構成において、図１に示す実施の形態１と同一部分は同一符号を付してその説明は省略する。この実施の形態２では、図１に示す実施の形態１の構成に加え、ネットワーク回線停止情報として、主原因判定部１２からの回線停止情報に基づいてネットワーク故障統計情報管理部１６により算出される回線パス毎の停止時間情報を蓄積するネットワーク回線停止情報データベース２６をさらに備えている。
【００１５】
この実施の形態２において、回線構成処理部１８は、オペレータが操作端末２を用いて回線構成業務を実施する場合、実施の形態１と同様にして回線構成を実施するが、その際、ネットワーク回線停止情報データベース２６をさらに参照し、回線疎通率の高いパスを選択して回線構成を実施するようになされている。通常、ネットワーク機器の始端終端間の経路は複数の区間に跨るので、各区間毎の疎通率を掛け合わせた値により優先して回線構成を実施することができる。
【００１６】
従って、実施の形態２によれば、ネットワーク接続情報である、ネットワーク機器及び通信回線の相互接続関係を蓄積したデータベースと、発生中の故障情報を蓄積したデータベースと、さらに、過去に遡って蓄積した統計的なネットワーク回線停止情報を蓄積したデータベースとを連携することによって、統計的にみて信頼性の高いパスを自動的に構成することができる。
【００１７】
実施の形態３．
図３は、この発明の実施の形態３に係るネットワーク管理システムの構成を示すブロック図である。図３に示す実施の形態３の構成において、図１に示す実施の形態１と同一部分は同一符号を付してその説明は省略する。この実施の形態３では、図１に示す実施の形態１の構成に加え、ネットワーク接続情報管理部１７により各パスにネットワーク距離の重み付けを行った結果を蓄積するネットワーク回線距離情報データベース２７をさらに備えている。
【００１８】
この実施の形態３において、回線構成処理部１８は、オペレータが操作端末２を用いて回線構成業務を実施する場合、実施の形態１と同様にして回線構成を実施するが、その際、ネットワーク回線距離情報データベース２７をさらに参照し、各パスのネットワーク距離の合計が少なくなるパス、つまり合計の経路が最短区間となるパスを優先して回線構成を実施するようになされている。
【００１９】
従って、実施の形態３によれば、ネットワーク接続情報である、ネットワーク機器及び通信回線の相互接続関係を蓄積したデータベースと、発生中の故障情報を蓄積したデータベースと、さらに、ネットワーク回線距離情報を蓄積したデータベースとを連携することによって、占有するネットワーク資源を最小限にするパスを自動的に構成することができる。
【００２０】
実施の形態４．
図４は、この発明の実施の形態４に係るネットワーク管理システムの構成を示すブロック図である。図４に示す実施の形態４の構成において、図１に示す実施の形態１と同一部分は同一符号を付してその説明は省略する。この実施の形態４では、図１に示す実施の形態１の構成に加え、主原因判定部１２からの各パスの実効通信速度に基づいてネットワーク故障統計情報管理部１６により統計的に収集された各パスの実効通信速度の収集結果を蓄積するネットワーク回線実効速度情報データベース２８をさらに備えている。
【００２１】
この実施の形態４において、回線構成処理部１８は、オペレータが操作端末２を用いて回線構成業務を実施する場合、実施の形態１と同様にして回線構成を実施するが、その際、ネットワーク回線実効速度情報データベース２８をさらに参照し、スループットが最速となるパスを優先して回線構成を実施するようになされている。
【００２２】
従って、実施の形態４によれば、ネットワーク接続情報である、ネットワーク機器及び通信回線の相互接続関係を蓄積したデータベースと、発生中の故障情報を蓄積したデータベースと、さらに、ネットワーク回線実効速度情報を蓄積したデータベースとを連携することによって、統計的にみて高速なパスを自動的に構成することができる。
【００２３】
実施の形態５．
図５は、この発明の実施の形態５に係るネットワーク管理システムの構成を示すブロック図である。図５に示す実施の形態５の構成において、図１に示す実施の形態１と同一部分は同一符号を付してその説明は省略する。この実施の形態５では、図１に示す実施の形態１の構成に加え、操作端末２からのネットワーク機器のメンテナンス作業の指示に基づいてネットワーク機器のメンテナンス作業予定を管理するネットワーク作業管理部２９と、ネットワーク作業管理部２９からのメンテナンス作業情報を蓄積するネットワーク作業情報データベース３０とをさらに備えている。
【００２４】
この実施の形態５においては、ネットワーク機器、つまりネットワークを構成する各装置２１〜２５のメンテナンス実施時に、オペレータが操作端末２を用いてネットワーク作業管理部２９に作業情報を指示することで、ネットワーク作業管理部２９は、ネットワーク作業情報データベース３０に各装置のメンテナンス作業予定を格納する。この状態で、オペレータが操作端末２を用いて回線構成業務を実施する場合、回線構成処理部１８は、実施の形態１と同様にして回線構成を実施するが、その際、ネットワーク作業情報データベース３０をさらに参照し、メンテナンス作業予定のあるネットワーク機器を経由しないをパスを優先して回線構成を実施する。
【００２５】
従って、実施の形態５によれば、ネットワーク接続情報である、ネットワーク機器及び通信回線の相互接続関係を蓄積したデータベースと、発生中の故障情報を蓄積したデータベースと、さらに、ネットワーク作業情報を蓄積したデータベースとを連携することによって、メンテナンス作業予定のあるネットワーク機器を経由しないでパスを優先して回線構成を実施するので、メンテナンス作業実施時の回線停止の防止ならびに作業実施時の回線迂回措置等の作業量を軽減することができる。
【図面の簡単な説明】
【００２６】
【図１】この発明の実施の形態１に係るネットワーク管理システムの構成を示すブロック図である。
【図２】この発明の実施の形態２に係るネットワーク管理システムの構成を示すブロック図である。
【図３】この発明の実施の形態３に係るネットワーク管理システムの構成を示すブロック図である。
【図４】この発明の実施の形態４に係るネットワーク管理システムの構成を示すブロック図である。
【図５】この発明の実施の形態５に係るネットワーク管理システムの構成を示すブロック図である。
【符号の説明】
【００２７】
１  ネットワーク管理システム、２  操作端末、１１  警報収集部、１２  主原因判定部、１３  故障通報部、１４  ネットワーク発生中故障情報データベース、１５  ネットワーク接続情報データベース、１６  ネットワーク故障統計情報管理部、１７  ネットワーク接続情報管理部、１８  回線構成処理部、２１〜２５  装置（ネットワーク機器）、２６  ネットワーク回線停止情報データベース、２７  ネットワーク回線距離情報データベース、２８  ネットワーク回線実効速度情報データベース、２９  ネットワーク作業管理部、３０  ネットワーク作業情報データベース。
【図１】
2006074662.tif 000003
【図２】
2006074662.tif 000004
【図３】
2006074662.tif 000005
【図４】
2006074662.tif 000006
【図５】
2006074662.tif 000007